(57)【特許請求の範囲】
【請求項１】
レンズユニットと、上記レンズユニットと着脱自在の本体ユニットと、を有してなる撮像装置であって、
上記レンズユニットは、
光学レンズと、
上記光学レンズを透過した被写体光を撮像する撮像素子と、
上記撮像素子の出力から画像データを周期的に生成する画像処理装置と、
生成された上記画像データを蓄積する蓄積装置と、
上記画像処理装置が周期的に生成する周期的画像データと上記蓄積装置に蓄積される蓄積画像データとを上記本体ユニットに送信する通信インターフェースと、を備え、
上記本体ユニットは、
上記レンズユニットから送信される上記周期的画像データと上記蓄積画像データとを受信する通信インターフェースと、
上記レンズユニットから受信した上記周期的画像データと上記蓄積画像データとの合成画像データを表示する表示装置と、を備え、
上記表示装置に上記合成画像データが表示されている状態で、撮像操作を指示する撮像操作信号が上記本体ユニットから上記レンズユニットへ送信されたとき、上記本体ユニットが上記表示装置に表示されている上記合成画像データの表示の更新を停止する、
ことを特徴とする撮像装置。
【請求項２】
上記本体ユニットは、
上記レンズユニットから受信した上記周期画像データと上記蓄積画像データのうち、上記周期的画像データのみを画像ファイルとして記録する記録装置を備えることを特徴とする請求項１記載の撮像装置。
【請求項３】
上記本体ユニットは、
上記レンズユニットから受信した上記周期画像データと上記蓄積画像データのうち、上記蓄積画像データのみを画像ファイルとして記録する記録装置を備えることを特徴とする請求項１記載の撮像装置。
【請求項４】
上記本体ユニットは、
上記レンズユニットから受信した上記周期的画像データと上記蓄積画像データとを合成して上記合成画像データを生成する手段を備えることを特徴とする請求項１乃至３のいずれかに記載の撮像装置。
【請求項５】
レンズユニットと、上記レンズユニットと着脱自在の本体ユニットと、を有してなる撮像装置であって、
上記レンズユニットは、
光学レンズと、
上記光学レンズを透過した被写体光を撮像する撮像素子と、
上記撮像素子の出力から画像データを周期的に生成する画像処理装置と、
生成された上記画像データを蓄積する蓄積装置と、
上記画像処理装置が周期的に生成する周期的画像データと上記蓄積装置に蓄積される蓄積画像データとが合成された合成画像データを上記本体ユニットに送信する通信インターフェースと、を備え、
上記本体ユニットは、
上記レンズユニットから送信される上記合成画像データを受信する通信インターフェースと、
上記受信した上記合成画像データを表示する表示装置と、を備え、
上記表示装置に上記合成画像データが表示されている状態で、撮像操作を指示する撮像操作信号が上記本体ユニットから上記レンズユニットへ送信されたとき、上記本体ユニットが上記表示装置に表示されている上記合成画像データの表示の更新を停止する、
ことを特徴とする撮像装置。
【請求項６】
レンズユニットと、レンズユニットと着脱自在の本体ユニットと、を有してなる撮像装置による撮像方法であって、
上記レンズユニットは、光学レンズと、上記光学レンズを透過した被写体光を撮像する撮像素子と、上記撮像素子の出力から画像データを周期的に生成する画像処理装置と、生成された上記画像データを蓄積する蓄積装置と、上記画像処理装置が周期的に生成する周期的画像データと上記蓄積装置に蓄積される蓄積画像データとを上記本体ユニットに送信する通信インターフェースと、を備え、
上記本体ユニットは、上記レンズユニットから送信される上記周期的画像データと上記蓄積画像データとを受信する通信インターフェースと、上記周期的画像データと上記蓄積画像データとの合成画像データを表示する表示装置と、を備え、
上記レンズユニットが、
上記周期的画像データと上記蓄積画像データとを上記本体ユニットに送信するステップ、
を実行し、
上記本体ユニットが、
上記周期的画像データと上記蓄積画像データとの合成画像データを上記表示装置に表示するステップ、
を実行し、
上記合成画像データが上記表示装置に表示されている状態で、撮像操作を指示する撮像操作信号が上記本体ユニットから上記レンズユニットへ送信されたとき、上記本体ユニットが、上記表示装置に表示されている上記合成画像データの表示の更新を停止するステップ、
を実行することを特徴とする撮像方法。
【請求項７】
上記本体ユニットが、
上記レンズユニットから受信した上記周期的画像データと上記蓄積画像データのうち、上記周期的画像データのみを画像ファイルとして記録するステップ、
を実行することを特徴とする請求項６記載の撮像方法。
【請求項８】
上記本体ユニットが、
上記レンズユニットから受信した上記周期的画像データと上記蓄積画像データのうち、上記蓄積画像データのみを画像ファイルとして記録するステップ、
を実行することを特徴とする請求項６記載の撮像方法。
【請求項９】
上記本体ユニットが、
上記レンズユニットから受信した上記周期画像データと上記蓄積画像データとを合成して上記合成画像データを生成するステップ、
を実行することを特徴とする請求項６乃至８のいずれかに記載の撮像方法。
【請求項１０】
レンズユニットと、レンズユニットと着脱自在の本体ユニットと、を有してなる撮像装置による撮像方法であって、
上記レンズユニットは、光学レンズと、上記光学レンズを透過した被写体光を撮像する撮像素子と、上記撮像素子の出力から画像データを周期的に生成する画像処理装置と、生成された上記画像データを蓄積する蓄積装置と、上記画像処理装置が周期的に生成する周期的画像データと上記蓄積装置に蓄積される蓄積画像データとの合成画像データを上記本体ユニットに送信する通信インターフェースと、を備え、
上記本体ユニットは、上記レンズユニットから送信される上記合成画像データを受信する通信インターフェースと、上記合成画像データを表示する表示装置と、を備え、
上記レンズユニットが、
上記合成画像データを上記本体ユニットに送信するステップ、
を実行し、
上記本体ユニットが、
上記合成画像データを上記表示装置に表示するステップ、
を実行し、
上記合成画像データが上記表示装置に表示されている状態で、撮像操作を指示する撮像操作信号が上記本体ユニットから上記レンズユニットへ送信されたとき、上記本体ユニットが、上記表示装置に表示されている上記合成画像データの表示の更新を停止するステップ、
を実行することを特徴とする撮像方法。
【発明の詳細な説明】
【技術分野】
【０００１】
本発明は、撮像装置および撮像方法に関するものであって、現在取得している画像データと過去に取得した画像データを同時に表示することができ、また、過去の画像データを画像ファイルとして保存することができる撮像装置および撮像方法に関するものである。
【背景技術】
【０００２】
デジタルカメラに代表される撮像装置を用いて移動をしながら撮影するとき、シャッターチャンスを逃すことがある。これは、移動している被写体を撮影するときも同様に起こりうることである。
デジタルカメラは、撮影処理の前段階において、電源が投入されていれば、被写体像を撮像装置本体が備える表示装置に表示することができる。すなわち、シャッターボタンに対して所定の操作が行われて画像ファイルの記録処理が行われる前であっても、当該被写体像に係る画像データは、撮像装置が備える撮像手段等を介して取得した被写体光から生成されて、所定の画像処理が行われたのちに、表示する処理が行われている。
つまり、従来の撮像装置は、シャッターボタンが操作される前であっても、被写体像に係る画像データに対して所定の画像処理が行われているので、一時的には、当該画像データが撮像装置内に保存されていることになる。
【０００３】
しかしながら、当該画像データの記録や保存処理は撮影に係る操作を行った後に行われるものなので、被写体が高速で撮像レンズの前を横切った場合など、あとで確認したくても、遡って当該被写体像を確認することはできなかった。
【０００４】
一方、撮影レンズ、撮像素子および所定の画像処理を行うＣＰＵ（中央処理装置）を内蔵したレンズユニットと、所定の画像処理を行うＣＰＵおよび画像データを記録する記録手段を備え、前記レンズユニットを着脱自在に接続することができる本体ユニットからなる撮像装置が知られている。
【０００５】
このような撮像装置には、レンズユニットと本体ユニットに搭載されているＣＰＵ間において、種々のデータの受け渡しが必要となるため、汎用のシリアルポートによって行うように構成したものがある（例えば特許文献１を参照）。
【０００６】
特許文献１に記載されている撮像装置は、レンズユニットと本体ユニットが備えるＣＰＵ間のデータの受け渡しを、双方向通信が可能な制御用シリアルドライバと、レンズユニットから本体ユニットへと向かう一方向通信が可能な画像用シリアルドライバによって行うように構成されているが、撮像した画像データをレンズユニットから本体ユニットに送信するとき、画像データから間引き画像を作成し、本体ユニットには間引き画像を送信している。
【０００７】
このように間引き画像を用いて本体ユニットにおける表示を行うには、画像データのフォーマットを予め規定する必要があり、上記の間引き画像を生成するときには、予め規定した単一の画像フォーマットへの変換処理を行う必要が生じる。
このような画像フォーマットの制限を行うと、画像データのデータサイズ（画像サイズ）にも制約が生じるという課題がある。
また、送受信する画像データが間引き画像であるため画質が落ちる、といった課題が生じる。
【０００８】
また、素早く動く被写体の撮像を容易に行えるようにするため、シャッターボタンを押している間は、一定の時間間隔をもって連続的に揮発性メモリに被写体像を蓄積し、シャッターボタンを離したときに、それまでに蓄積された被写体像を画像データとして記録する撮像装置が知られている。
【０００９】
このような撮像装置は、連続的に記録された被写体像の中から選抜して画像ファイルを生成することができるが、シャッターボタンを押さずにスルー画表示のみを行っている間の被写体像は記録することができない。
【００１０】
そこで、いわゆるスルー画表示を行いながら、撮像した画像データの表示を同時に行うことができれば、利用者にとってより便利であるが、従来の撮像装置のように、レンズユニットから本体ユニットに送信される画像データが所定の形式に圧縮されていると、本体ユニット側では、表示のための復号化処理と、記録のための画像処理を同時に行う必要がある。
【００１１】
また、スルー画データとして表示された画像データを一時停止して視認できると便利である。さらに、また任意の時間を遡って見逃した被写体像を確認でき、スルー画データと過去に撮像した画像データとを同時に表示している最中に、表示されているスルー画データを、別の画像ファイルとして記録し保存することができると便利である。
【００１２】
上記のような画像処理を行うには、複数の異なる画像処理を並列して同時に行う必要がある。そのような処理を行うためには、同時に行う処理の数に見合った画像処理装置を用いる必要がある。しかし、多数の画像処理装置を搭載すると、撮像装置自体の製造コストが高くなる。
また、レンズユニットと本体ユニットにそれぞれ画像処理装置を搭載している撮像装置であっても、上記のような画像処理を同時に行って、複数の画像データを同時に表示させることができる撮像装置は未だ知られていない。
【発明の概要】
【発明が解決しようとする課題】
【００１３】
本発明は上記課題を鑑みてなされたものであって、現在取得している画像データと過去に取得した画像データを同時に表示することができ、かつ、過去の画像データを画像ファイルとして保存することができる撮像装置および撮像方法を提供することを目的とする。
【課題を解決するための手段】
【００１４】
本発明は、レンズユニットと、上記レンズユニットと着脱自在の本体ユニットと、を有してなる撮像装置であって、上記レンズユニットは、光学レンズと、上記光学レンズを透過した被写体光を撮像する撮像素子と、上記撮像素子の出力から画像データを周期的に生成する画像処理装置と、生成された上記画像データを蓄積する蓄積装置と、上記画像処理装置が周期的に生成する周期的画像データと上記蓄積装置に蓄積される蓄積画像データとを上記本体ユニットに送信する通信インターフェースと、を備え、上記本体ユニットは、上記レンズユニットから送信される上記周期的画像データと上記蓄積画像データとを受信する通信インターフェースと、上記レンズユニットから受信した上記周期的画像データと上記蓄積画像データとの合成画像データを表示する表示装置と、を備え、上記表示装置に上記合成画像データが表示されている状態で、撮像操作を指示する撮像操作信号が上記本体ユニットから上記レンズユニットへ送信されたとき、上記本体ユニットが上記表示装置に表示されている上記合成画像データの表示の更新を停止する、ことを主な特徴とする。
【００１５】
また本発明は、上記本体ユニットは、上記レンズユニットから受信した上記周期画像データと上記蓄積画像データのうち、上記周期的画像データのみを画像ファイルとして記録する記録装置を備えることを特徴とする。
【００１６】
また本発明は、上記本体ユニットは、上記レンズユニットから受信した上記周期画像データと上記蓄積画像データのうち、上記蓄積画像データのみを画像ファイルとして記録する記録装置を備えることを特徴とする。
【００１７】
また本発明は、上記本体ユニットは、上記レンズユニットから受信した上記周期的画像データと上記蓄積画像データとを合成して上記合成画像データを生成する手段を備えることを特徴とする。
【００１８】
また本発明は、レンズユニットと、上記レンズユニットと着脱自在の本体ユニットと、を有してなる撮像装置であって、上記レンズユニットは、光学レンズと、上記光学レンズを透過した被写体光を撮像する撮像素子と、上記撮像素子の出力から画像データを周期的に生成する画像処理装置と、生成された上記画像データを蓄積する蓄積装置と、上記画像処理装置が周期的に生成する周期的画像データと上記蓄積装置に蓄積される蓄積画像データとが合成された合成画像データを上記本体ユニットに送信する通信インターフェースと、を備え、上記本体ユニットは、上記レンズユニットから送信される上記合成画像データを受信する通信インターフェースと、上記受信した上記合成画像データを表示する表示装置と、を備え、上記表示装置に上記合成画像データが表示されている状態で、撮像操作を指示する撮像操作信号が上記本体ユニットから上記レンズユニットへ送信されたとき、上記本体ユニットが上記表示装置に表示されている上記合成画像データの表示の更新を停止する、ことを特徴とする。
【００１９】
また本発明は、レンズユニットと、レンズユニットと着脱自在の本体ユニットと、を有してなる撮像装置による撮像方法であって、上記レンズユニットは、光学レンズと、上記光学レンズを透過した被写体光を撮像する撮像素子と、上記撮像素子の出力から画像データを周期的に生成する画像処理装置と、生成された上記画像データを蓄積する蓄積装置と、上記画像処理装置が周期的に生成する周期的画像データと上記蓄積装置に蓄積される蓄積画像データとを上記本体ユニットに送信する通信インターフェースと、を備え、上記本体ユニットは、上記レンズユニットから送信される上記周期的画像データと上記蓄積画像データとを受信する通信インターフェースと、上記周期的画像データと上記蓄積画像データとの合成画像データを表示する表示装置と、を備え、上記レンズユニットが、上記周期的画像データと上記蓄積画像データとを上記本体ユニットに送信するステップ、を実行し、上記本体ユニットが、上記周期的画像データと上記蓄積画像データとの合成画像データを上記表示装置に表示するステップ、を実行し、上記合成画像データが上記表示装置に表示されている状態で、撮像操作を指示する撮像操作信号が上記本体ユニットから上記レンズユニットへ送信されたとき、上記本体ユニットが、上記表示装置に表示されている上記合成画像データの表示の更新を停止するステップ、を実行することを特徴とする。
【００２０】
また本発明は、上記本体ユニットが、上記レンズユニットから受信した上記周期的画像データと上記蓄積画像データのうち、上記周期的画像データのみを画像ファイルとして記録するステップ、を実行することを特徴とする。
【００２１】
また本発明は、上記本体ユニットが、上記レンズユニットから受信した上記周期的画像データと上記蓄積画像データのうち、上記蓄積画像データのみを画像ファイルとして記録するステップ、を実行することを特徴とする。
【００２２】
また本発明は、上記本体ユニットが、上記レンズユニットから受信した上記周期画像データと上記蓄積画像データとを合成して上記合成画像データを生成するステップ、を実行することを特徴とする。
【００２３】
また本発明は、レンズユニットと、レンズユニットと着脱自在の本体ユニットと、を有してなる撮像装置による撮像方法であって、上記レンズユニットは、光学レンズと、上記光学レンズを透過した被写体光を撮像する撮像素子と、上記撮像素子の出力から画像データを周期的に生成する画像処理装置と、生成された上記画像データを蓄積する蓄積装置と、上記画像処理装置が周期的に生成する周期的画像データと上記蓄積装置に蓄積される蓄積画像データとの合成画像データを上記本体ユニットに送信する通信インターフェースと、を備え、上記本体ユニットは、上記レンズユニットから送信される上記合成画像データを受信する通信インターフェースと、上記合成画像データを表示する表示装置と、を備え、上記レンズユニットが、上記合成画像データを上記本体ユニットに送信するステップ、を実行し、上記本体ユニットが、上記合成画像データを上記表示装置に表示するステップ、を実行し、上記合成画像データが上記表示装置に表示されている状態で、撮像操作を指示する撮像操作信号が上記本体ユニットから上記レンズユニットへ送信されたとき、上記本体ユニットが、上記表示装置に表示されている上記合成画像データの表示の更新を停止するステップ、を実行することを特徴とする。
【発明の効果】
【００２４】
本発明によれば、過去のスルー画であるレンズユニットに蓄積される画像データを表示しながら、現在のスルー画である周期的画像データを同時に表示することができるので、見逃した被写体であっても遡って確認しつつ、現時点の被写体像も逃すことなく確認することができるようになる。
【００２５】
また、本発明によれば、蓄積画像データと周期的画像データを同時に表示して、過去の被写体像を確認しつつ、所定の操作を行うことによって、周期的画像データに含まれる現在の被写体像の撮影を行うことができるようになる。
【００２６】
また、本発明によれば、蓄積画像データと周期的画像データを同時に表示して、過去の被写体像を確認しつつ、所定の操作を行うことによって、蓄積画像データを画像ファイルとして保存することができるようになり、これによって、過去の被写体像であっても撮影することができるようになる。
【００２７】
また、本発明によれば、被写体像が蓄積画像データとしてレンズユニットに蓄積され、所定の操作によって、読み出して確認することができ、さらに確認した後であっても、蓄積画像データを画像ファイルとして保存することができるので、撮影行為を意識していないときであっても、被写体を逃すことなく撮影することができるようになる。
【図面の簡単な説明】
【００２８】
【図１】本発明に係る撮像装置の例を示す外観斜視図である。
【図２】本発明に係る撮像装置を構成するレンズユニットと本体ユニットのハードウェア構成の例を示すブロック図である。
【図３】上記レンズユニットの別の例を示すブロック図である。
【図４】上記レンズユニットの別の例を示すブロック図である。
【図５】本発明に係る撮像装置の機能構成の例を示す機能ブロック図である。
【図６】上記撮像装置を用いた撮像方法における処理の例を示すシーケンス図である。
【図７】上記撮像方法における処理の別の例を示すシーケンス図である。
【図８】上記撮像方法における処理の別の例を示すシーケンス図である。
【図９】本発明に係る撮像方法における被写体像の表示の例を示す画像図である。
【図１０】本発明に係る撮像方法における被写体像の表示の別の例を示す画像図である。
【図１１】本発明に係る撮像方法における被写体像の表示のさらに別の例を示す画像図である。
【図１２】本発明に係る撮像方法における処理の別の例を示すシーケンス図である。
【図１３】本発明に係る撮像方法における処理のさらに別の例を示すシーケンス図である。
【図１４】本発明に係る撮像方法における処理のさらに別の例を示すシーケンス図である。
【発明を実施するための形態】
【実施例１】
【００２９】
以下、本発明に係る撮像装置及び同装置を用いた撮像方法の実施形態について図を用いて説明する。図１は本発明に係る撮像装置を構成するレンズ、および、同レンズと着脱自在である本体の例を示す外観斜視図である。
図１において符号１はレンズユニットを、符号２は本体ユニットを示し、符号３はレンズユニット１を本体ユニット２に装着して一体となる撮像装置を示している。
【００３０】
レンズユニット１は、その内部に備わっている撮像レンズや撮像素子によって種々のタイプがあり、利用者は適宜選択をして本体ユニット２に装着することができる。例えば、単焦点レンズが搭載されたレンズユニット１ａ（図１（ａ））や、ズームレンズが搭載されたレンズユニット１ｂ（図１（ｂ））を本体ユニット２に装着することで、ぞれぞれの撮像レンズの特性を生かした撮像を行うことができるようになる。
【００３１】
次に、本発明に係るレンズユニットと、当該レンズユニットと着脱自在に接続し、本発明に係る撮像装置を構成する本体ユニットのハードウェア構成の例について図２乃至図４のブロック図を用いて説明する。
【００３２】
図２に示すように、レンズユニット１側のコネクタ１１６と本体ユニット２側のコネクタ２０１を接合することで、それぞれのユニットが互いに電気的に接続し、撮像装置３を構成する。
図２において、レンズユニット１００は、フォーカスレンズを備えたレンズ群１０７と、レンズ群１０７を介して受光した被写体像を光信号から電気信号に変換して出力する撮像素子１０８と、撮像素子１０８から出力される信号（アナログ画像信号）をデジタル画像信号に変換して信号増幅をするＡＦＥ（アナログフロントエンド）１０９と、変換されたデジタル画像信号をＲＧＢからＹＵＶデータへ変換する処理、変換されたＹＵＶデータをＪＰＥＧまたはＭＰＥＧ形式で圧縮符号化する処理、あるいはＲＡＷデータを生成する処理、などの所定の画像処理を行なって画像データを生成するＣＰＵ１０３と、を有してなる。ＣＰＵ１０３は、レンズユニット側のいわゆる画像処理エンジンである。
【００３３】
また、レンズユニット１００は、本体ユニット２００と電気的に接続するユニット間インターフェースを備えている。
レンズユニット１００が備えるユニット間インターフェースは、本体ユニット側のジョイントコネクタ２０１と結合するジョイントコネクタ１１６と、符号１２１で示す本体ユニット２００との制御信号のインターフェース、符号１２２で示すシリアル信号のインターフェース、符号１２３で示す双方向通信に用いるインターフェース、符号１２４で示すＳＤＩＯ信号のインターフェース、符号１２６で示すレリーズスイッチ信号の入力インターフェース、および一方向インターフェースで示す画像信号送信インターフェース１２５、を有してなる。
【００３４】
また、レンズユニット１００は、レンズ群１０７の鏡筒の繰り出しと収納に用いるモーター１１０を制御するモータードライバー１１１を有している。このモータードライバー１１１は、本体ユニット２００からインターフェース１２１を介して受信する制御信号によって制御される。
この機構によって、交換レンズの種類によっては撮像装置３の電源を切ったときに鏡筒を収納し、また、図示しないボタンの押下によって変倍動作をするなどの種々の動作制御を行うことができる。
【００３５】
また、レンズユニット１００は、本体ユニットから供給される電力１２０からレンズユニット１００の動作に必要な各種電力を生成するＤＣ−ＤＣコンバータ１０１と、本体ユニット２００から供給される電力１２０を検知してＤＣ−ＤＣコンバータ１０１を制御するサブマイコン１０２と、を有している。
【００３６】
また、レンズユニット１００は、レンズユニット１００の外部に装着可能なテレコンバータレンズ及びワイドコンバータレンズを検出する検出回路１１３を有している。
【００３７】
また、レンズユニット１００は、撮像装置３の傾きを検出するジャイロセンサ１０６、撮像装置３に加わる加速度を検出する加速度センサ１１２、ジャイロセンサ１０６が検出した傾きと加速度センサ１１２が検出した加速度によってレンズ群１０７を駆動するコイル１０５、およびコイル１０５の駆動量を検出するホール素子１０４を有している。
これら、ジャイロセンサ１０６、加速度センサ１１２、コイル１０５、ホール素子１０４によって手ぶれの防止機能を発揮することができる。
【００３８】
レンズユニット１００における画像処理等を行うソフトウェアは、フラッシュロム（Ｆｌａｓｈ  ＲＯＭ）１１４（以下「ＲＯＭ１１４」とする）に格納されている。
また、レンズユニット１００は、撮像素子１０８を介してＣＰＵ１０３において生成された画像データを蓄積するリングバッファとして機能させるＤＤＲ−ＳＤＲＡＭ１１５（以下「ＲＡＭ１１５」とする）を備えている。ＲＡＭ１１５は、上記のソフトウェアのワークエリアとしても機能する。
【００３９】
図２において、本体ユニット２００は、レンズユニット１００と電気的に接続するユニット間インターフェースを備えている。
本体側ユニット間２００側のユニット間インターフェースは、レンズ側ユニット側のジョイントコネクタ１１６と結合するジョイントコネクタ２０１、符号２２１で示すレンズユニット１００との制御信号のインターフェース、符号２２２で示すシリアル信号のインターフェース、符号２２３で示す双方向通信に用いるインターフェース、符号２２４で示すＳＤＩＯ信号のインターフェース、符号２２４で示すレリーズスイッチ信号の出力インターフェース、および、一方向インターフェースである画像信号受信ポート２２５を有してなる。
【００４０】
また、本体ユニット２は、一方向インターフェースである画像信号受信ポート２２４を介してレンズユニット１から受信する画像データを、ＹＵＶデータへと変換する処理、変換されたＹＵＶデータをＪＰＥＧまたはＭＰＥＧ形式で圧縮符号化する処理、圧縮符号化されたデータの展開処理、あるいはＲＡＷデータの生成処理、などの所定の画像処理を適宜行うＣＰＵ２０８を有している。ＣＰＵ２０８は本体ユニット側の画像処理エンジンである。
【００４１】
また、本体ユニット２００は、所定の操作によって撮像装置３の撮影動作を開始させるレリーズスイッチ２１１と、撮像装置３の動作モードなど各種の設定に用いる十字キーなどで構成される操作スイッチ２０６と、操作スイッチ２０６の入力を検知して所定の設定処理などを行い、かつ、リチウムイオンバッテリー２０４から供給される電力をＤＣ−ＤＣコンバータ２０３を用いて電源制御し、また、レンズユニット１００へ電力を供給するためのスイッチである電源スイッチ２０２と、を制御するサブマイコン２０５を有している。
【００４２】
本体ユニット２００における画像処理及び動作制御処理を行うソフトウェアは、フラッシュロム２１９（以下「ＲＯＭ２１９」とする）に格納されている。また、本体ユニット２００は、画像処理などに用いられるワークエリアとして機能するＤＤＲ−ＳＤＲＡＭ２２０（以下「ＲＡＭ２２０」とする）を備えている。
【００４３】
また、本体ユニット２００は、音声コーディック２１６と、この音声コーディック２１６に音声信号を入力するマイク２１８と、音声コーディック２１６から音を出力するスピーカ２１７と、ＵＳＢインターフェースコネクタ２１４と、ＡＶ出力用コネクタ２１３と、ＨＤＭＩ信号の出力インターフェース２１２と、撮像された画像ファイルを保存する着脱可能な記憶手段であるＳＤメモリ２１５と、本体ユニット２００に外部ストロボを装着するときの接続回路を兼ねているストロボ２０７と、スイッチ２１１の操作によってフォーカシング動作時に被写体像をモニタリング表示させ、撮影動作をしたときには撮影した画像データを表示する表示手段であるＬＣＤ２１０及びＥＶＦ２０９と、を有している。
【００４４】
図３は、本発明に係る撮像装置を構成するレンズユニットの別の例を示す機能ブロック図である。図３においてレンズユニット３００は、図２に示したレンズユニット１００とほぼ同じ構成を有している。レンズユニット３００は、レンズ群３０７にズームレンズを備えており、これを移動させるためのズーム用モーター３１０を有する点で、前記レンズユニット１００との構成上の違いがある。レンズユニット３００は、図示しない本体ユニット２００が備えるズームスイッチの操作によって、レンズ群３０７に備えられたフォーカスレンズとズームレンズに所定の動作をさせるように構成されている。
なお、図３においては、一方向インターフェースで構成される画像信号送信インターフェースは省略している。
【００４５】
図４は、本発明に係る撮像装置を構成するレンズユニットのさらに別の例を示す機能ブロック図である。図４においてレンズユニット４００は、大型の撮像素子４０８を備えており、また、手ぶれ防止動作を行う前記ホール素子１０４、コイル１０５、ジャイロセンサ１０６に相当する構成を有する点で、前記レンズユニット１００との構成上の違いがある。
なお、図４においては、一方向インターフェースで構成される画像信号送信インターフェースは省略している。
【００４６】
次に、本発明に係る撮像装置を用いた撮像方法の例について、図を用いて説明をする。以下に説明をする撮像方法は、既に説明をしたレンズユニット１００、３００、４００が有するＲＯＭ１１４、３１４、４１４に格納されているソフトウェアと、レンズユニット１００、２００、３００及び本体ユニット２００が有する種々のハードウェア資源によって実行されるものである。図５に示す機能ブロック図における各手段は、上記ソフトウェアを上記ハードウェアが協働することで実現される機能ブロックを示している。
【００４７】
図５において、レンズユニット１０は、ＲＡＭ１１４に格納されているソフトウェアによって、上記レンズユニット１００が有するレンズ群１０７、撮像素子１０８及びＡＦＥ１０９からなるハードウェア資源を用いて被写体像の撮像処理を実行する撮像手段１１と、ＣＰＵ１０３を用いて所定の画像処理および当該撮像装置の動作制御を実行する画像処理手段１２と、ＲＯＭ１１４もしくはＲＡＭ１１５が有する記憶領域を用いてリングバッファとして動作する記憶手段１３と、ジョイントコネクタ１１６及び双方向インターフェース１２３を用いて本体ユニット２００とレンズユニット１００の双方向通信を実行する第１インターフェース１４と、ジョイントコネクタ１１６及び一方向インターフェース１２５を用いてレンズユニット１００から本体ユニット２００への画像データの送信を実行する一方向インターフェースである第２インターフェース１５と、を有してなる
【００４８】
なお、第１インターフェース１４はレンズユニット２００側のＣＰＵ２０８、ジョイントコネクタ２０１及び双方向インターフェース２２３を含み、また、第２インターフェース１５はレンズユニット２００側のＣＰＵ２０８、ジョイントコネクタ２０１及び一方向インターフェース２２５を含んでいる。
【００４９】
一方、本体ユニット２０は、ＲＡＭ２２０に格納されているソフトウェアによる情報処理が、ＣＰＵ２０８を用いて所定の画像処理および当該撮像装置の動作制御を実行する画像処理手段２１と、ＲＡＭ１１５を用いて一時記憶手段として動作させ、また、レンズユニット１０から受信した画像データを画像ファイルとして記憶するＳＤメモリからなる記憶手段２２と、液晶ディスプレイ（ＬＣＤ）２１０を用いて画像データ等を表示する表示手段２３と、操作スイッチ２０６とサブマイコン２０５、およびレリーズスイッチ２１１を用いて利用者の操作を感知する操作手段２４と、を有してなる。
【００５０】
次に、本発明に係る撮像方法の実施例について図５の機能ブロック図を参照しつつ、図６のシーケンス図を用いて説明する。
本実施例はスルー画表示制御にかかる撮像方法の例である。ここでスルー画とは、本発明に係る撮像装置の電源が投入された後、撮像動作が行われるまでの間において、本体ユニットが備える表示装置に、繰り返し表示される画像データをいう。
【００５１】
図６において、各処理ステップはＳ１０１、Ｓ１０２、Ｓ１０３・・・のように表記する。また、各処理ステップにおいて生成（または処理）された情報の出力先（通知先）は、矢印を用いて表している。
まず、本体ユニット２０が備える電源ボタンが操作され電源が投入されたとき、または、電源が投入された後であって操作手段２４の操作によって当該撮像装置３の動作にかかる設定が変更されたとき、サブＣＰＵ２０５（図３）が操作手段２４にかかる操作を検知して（Ｓ１０１）、画像処理手段２１によって当該操作にかかる設定情報が生成される。生成された設定情報は第１インターフェース１４を介して、レンズユニット１０に送信される（Ｓ１０２）。
【００５２】
設定情報とは、例えば表示手段２３の表示性能や表示可能なデータフォーマットおよび画像サイズなどの情報を含む情報である。換言すると、本体ユニット２０が備える表示デバイスに関する情報を含む情報群である。
【００５３】
画像処理手段１２は、受信した設定情報に基づいて、撮像手段１１が周期的に出力する撮像データから画像データを生成する（Ｓ１０３）。この周期的に生成される画像データが本体ユニット２０に送信され表示手段２３において表示されることで、スルー画の表示が行われる。また、上記において生成された画像データはリングバッファである記憶手段１３に一時的に格納され蓄積される（Ｓ１０４）。
【００５４】
本明細書の記載において、蓄積されることなく、本体ユニット２０において表示され続けるスルー画データを「現在のスルー画データ」と表記し、一旦蓄積された画像データであって、のちに読み出され、本体ユニットに送信されて表示される画像データを「過去のスルー画データ」と表記する。
また、現在のスルー画データを構成する画像データを周期的画像データと表記し、過去のスルー画データを構成する画像データを蓄積画像データと表記する。
【００５５】
ここで処理ステップＳ１０３における詳細な処理の流れについて説明をする。撮像手段１１が撮像レンズを介して取得した被写体像は、画像処理手段１２においてＲＧＢのデジタル画像データに変換される。このＲＧＢ画像データからＹＵＶ形式の画像データが生成され、次の処理ステップＳ１０５において本体ユニットに送信される。ここで送信される画像データが周期的画像データである。
またＹＵＶ形式の画像データは、画像処理手段１２において、ＪＰＥＧ形式またはＭＰＥＧ形式などの圧縮された画像データ形式に変換されてから処理ステップＳ１０４において、記憶手段１３に蓄積される。ここで蓄積される画像データが蓄積画像データである。
【００５６】
処理ステップＳ１０４において記憶手段１３に画像データを蓄積すると同時に、第２インターフェース１５を介して、周期的画像データを本体ユニット２０に送信する（Ｓ１０５）。
本体ユニット２０の画像処理手段２１は受信した周期的画像データに対して、表示手段２３の設定情報に基づいてデータ形式の変換処理を行い、表示に適したサイズに変換をして（Ｓ１０６）、表示手段２３を用いて表示をする（Ｓ１０７）。
上記のように本実施例に係る撮像装置によれば、生成されたスルー画データを本体ユニット２０に送信しつつ、レンズユニット１０が備える記憶手段１３に蓄積することで、後述する特徴のあるスルー画の表示処理と撮像方法を実現することができる。
【００５７】
ここで、本実施例にかかる撮像装置において、予め「スルー画表示は行わない」とする設定がされているときは、図７に示すシーケンス図のような処理の流れになる。図７において各処理ステップはＳ２０１、Ｓ２０２、Ｓ２０３・・・のように表記する。
また、図６と同様に各処理ステップにおいて生成（処理）された情報の出力（通知）先は、矢印を用いて表している。
【００５８】
電源が投入されたのちにおいて、操作手段２４の操作によってスルー画の表示をオフにする設定が行われると、この設定操作をサブＣＰＵ２０５（図３）が検知し（Ｓ２０１）、画像処理手段２１によって所定の設定情報が生成され、第１インターフェース１４を介して、レンズユニット１０に送信される（Ｓ２０２）。
画像処理手段１２は、受信した設定情報を基にして、撮像手段１１が周期的に出力する撮像データから画像データを生成し（Ｓ２０３）、生成された画像データをリングバッファである記憶手段１３に一時的に蓄積する（Ｓ２０４）。しかし、上記の設定情報に基づいて、本体ユニット２０への周期的画像データの送信処理は行わない。
【実施例２】
【００５９】
次に、本発明に係る撮像方法において、周期的画像データと蓄積画像データを同時に表示する実施例について、図を用いて説明をする。本実施例は、現在のスルー画と過去のスルー画を同時に表示する処理の流れの例である。図８において、各処理ステップはＳ３０１、Ｓ３０２、Ｓ３０３・・・のように表記する。また、各処理ステップにおいて生成（出力）された情報の出力(通知)先は、矢印を用いて表している。
【００６０】
実施例１における周期的画像データの送信処理と、蓄積画像データの蓄積処理が行われているときに、本体ユニット２０が備える操作手段２４によって過去のスルー画の表示を指示する操作が行われると、サブＣＰＵ２０５（図３）が当該操作を検知し（Ｓ３０１）、画像処理手段２１が当該操作にかかる操作情報を生成して、第１インターフェース１４を介して、レンズユニット１０に送信する（Ｓ３０２）。
ここで、「過去のスルー画の表示を指示する操作」とは、過去のスルー画の表示（再生）、コマ送り表示、巻き戻し表示、早送り表示または一時停止など、過去のスルー画を表示手段２３において視認可能とするための操作である。
従って、当該操作によって生成される操作情報とは、上記の種々の操作をレンズユニット１０に通知するための情報群をいう。
【００６１】
画像処理手段１２は、受信した操作情報に基づいて所定の処理を開始する。まず、それまで行っていたスルー画の蓄積処理を停止する（Ｓ３０３）。
次に、蓄積画像データを読み出す（Ｓ３０４）。蓄積画像データは、ＪＰＥＧ形式などの圧縮形式に変換されているので、これをＹＵＶデータに復号化する処理を行う（Ｓ３０５）。
【００６２】
次に、画像処理手段１２は、撮像手段１１が周期的に出力する撮像データから画像データを生成し（Ｓ３０６）、復号化された蓄積画像データと、この周期的画像データとを、合成する画像処理を行って合成画像データを生成する（Ｓ３０７）。生成された合成画像データは第２インターフェース１５を介して、本体ユニット２０に送信される（Ｓ３０８）。
なお、蓄積画像データを読み出して復号化する処理（Ｓ３０４、Ｓ３０５）と、周期的画像データを生成する処理（Ｓ３０６）は順番が逆であってもよく、周期的画像データを生成した後に、蓄積画像データを読み出して復号化する処理を行ってもよい。
【００６３】
本体ユニット２０の画像処理手段２１は、受信した合成画像データを、表示手段２３の設定情報に基づいて、表示に適したサイズに変換し（Ｓ３０９）、表示手段２３に出力する（Ｓ３１０）。これによって、現在のスルー画を表示しつつ、過去のスルー画も同時に表示することができるようになる。
【００６４】
上記の処理によって、表示手段２３に表示される合成された画像データの例を図９乃至図１１を用いて説明する。図９は、蓄積画像データを復号化して表示可能にした例であって、図９（ａ）から（ｅ）に向けて時間が経過し、被写体９１が移動している様子を表している。
図１０は、現在のスルー画データである周期的画像データの例である。図９に示した蓄積画像データと図１０に示した周期的画像データとを合成した画像データの例を図１１に示す。図１１において、蓄積画像データにおいて表示される被写体９１と周期的画像データにおいて表示される被写体９２は、同一の画面表示において合成されて表示されている。
例えば図１１（ａ）のように、現在のスルー画に過去のスルー画をインポーズして、表示手段２３の左下に小さく表示してもよいし、図１１（ｂ）に示すように現在のスルー画に過去のスルー画をインポーズして、表示手段２３の中央に表示してもよい。
また現在のスルー画と過去のスルー画の表示比率を入れ替えて表示してもよい。これら表示の変更は操作手段２４を用いた所定の操作によって実現される。
【００６５】
以上、本実施例に係る撮像装置によれば、撮像手段１１から周期的に出力される撮像データに基づく周期的画像データと、事前に記憶手段１３に蓄積されている過去のスルー画データである蓄積画像データを合成して表示することができるので、過去のスルー画を確認しながら、シャッターチャンスを逃すことなく、最適な撮像処理を行うことができるようになる。
【実施例３】
【００６６】
次に、本発明に係る撮像方法の別の例について、図５の機能ブロック図を参照しつつ、図１２のシーケンス図を用いて説明する。
図１２に示すシーケンス図は、本実施例に係る撮像方法における静止画撮影処理の流れを例示している。
【００６７】
図１２において、各処理ステップはＳ４０１、Ｓ４０２、Ｓ４０３・・・のように表記する。また、各処理ステップにおいて生成（処理）される情報の出力（通知）先は、矢印を用いて表している。
【００６８】
本実施例は、周期画像データと蓄積画像データが合成された合成画像データが、スルー画として表示手段２３に表示されているときに、操作手段２４における所定の撮像操作を行ったときに、実行される処理の例である。
【００６９】
表示手段２３に合成画像データが表示されているとき、撮像動作を指示する所定の撮像操作が行われて、操作手段２４を介した操作信号が入力されると、双方向インターフェースである第１インターフェース１４を介して、画像処理手段１２にその旨が通知される（Ｓ４０１）。
所定の撮像操作とは、例えばレリーズスイッチ２１１を一定時間以上押し下げる操作である。
【００７０】
また、所定の撮像操作は、図示はしないが、レリーズスイッチインターフェース２２６（図３）を介して、直接（第１インターフェースを介することなく）、レリーズスイッチ２１１（図３）からの信号を、レンズユニット１０の画像処理手段１２に通知することもできる。
【００７１】
上記のレリーズ操作通知を受けた画像処理手段１２は、蓄積画像データの送信をそのまま継続しつつ、撮像手段１１から被写体像を取得して画像データの生成をする（Ｓ４０２）。ここで生成される画像データのデータ形式はＹＵＶ形式またはＲＧＢ形式であって、事前に設定された撮像モードの設定によって決定される。
【００７２】
生成された画像データは双方向インターフェースである第１インターフェース１４を介して本体ユニット２０に送信される（Ｓ４０３）。通常の静止画撮像処理において生成された画像データは一方向インターフェースである第２インターフェース１５を介して本体ユニット２０に送信されるが、本実施例においては、第２インターフェース１５がスルー画データの送信に使用されているため、第１インターフェース１４を介して画像ファイルの送信を行っている。
【００７３】
上記の処理は、予めスルー画が表示手段２３において表示されている状態で行われるものである。
スルー画を表示している状態で、撮像操作信号が第１インターフェース１４を介して送信されるとき、表示されているスルー画データが暗転したり、乱れたりすることがある。そこで、撮像するための操作情報が送信されるときに、本体ユニット２０は一時的にスルー画データの更新を停止し、その間に受信したスルー画データによっては表示の更新を行わず、スルー画データの乱れがなくなって正常に表示できるタイミングを待ってから、再度スルー画データの更新を行うように表示の制御をする。
【００７４】
次に、本体ユニット２０において、画像処理手段２１が有するＤＭＡコントローラから、画像データのＲＡＭ２００への格納完了を通知する割り込みが発生し、レンズユニット１０から送信される画像データの受信処理を完了する（Ｓ４０４）。
【００７５】
本体ユニット２０の画像処理手段２１は、受信した画像データがＹＵＶデータの場合であって、レンズユニット１０の画像処理手段１２において色補正や輝度補正等の画像処理がなされているときは、図示しないＪＰＥＧエンコーダによってＪＰＥＧ形式に圧縮し、画像ファイルとして記憶手段２２を構成するＳＤメモリ２１５などの不揮発性メモリに保存する（Ｓ４０５）。
【００７６】
また、本体ユニット２０の画像処理手段２１は、受信した画像データが色補正や輝度補正等の画像処理がなされていない場合であって、更なる画像処理や補正が必要なときは、色補正や輝度補正等の画像処理を行った後図示しないＪＰＥＧエンコーダによってＪＰＥＧ形式に圧縮し、画像ファイルとして記憶手段２２を構成するＳＤメモリ２１５などの不揮発性メモリに保存する（Ｓ４０５）。
【００７７】
また、本体ユニット２０の画像処理手段２１は、受信した画像データがＲＡＷデータの場合は、色補正や輝度補正等の画像処理を行った後、または、当該画像処理を行わずに任意のＲＡＷフォーマットに変換して、画像ファイルとして記憶手段２２を構成するＳＤメモリ２１５などの不揮発性メモリに保存する（Ｓ４０５）。
【００７８】
また、本体ユニット２０の画像処理手段２１は、受信した画像データがＲＡＷデータの場合は、色補正や輝度補正等の画像処理を行った後、必要に応じてＹＵＶデータに変換してから図示しないＪＰＥＧエンコーダによってＪＰＥＧ形式で圧縮して、画像ファイルとして記憶手段２２を構成するＳＤメモリ２１５などの不揮発性メモリに保存する（Ｓ４０５）。
【００７９】
また、本体ユニット２０の画像処理手段２１は、受信した画像データがＲＡＷデータであって、色補正や輝度補正等の画像処理が行われている場合は、任意のＲＡＷファイルフォーマットに変換した後に、画像ファイルとして記憶手段２２を構成するＳＤメモリ２１５などの不揮発性メモリに保存する（Ｓ４０５）
【００８０】
また、本体ユニット２０の画像処理手段２１は、受信した画像データがＲＡＷデータであって、色補正や輝度補正等の画像処理が行われている場合は、ＹＵＶデータに変換し、またはＲＧＢで構成されるＲＡＷデータのまま図示しないＪＰＥＧエンコーダによってＪＰＥＧ形式で圧縮して、画像ファイルとして記憶手段２２を構成するＳＤメモリ２１５などの不揮発性メモリに保存する（Ｓ４０５）。
【００８１】
また、本体ユニット２０の画像処理手段２１は、受信した画像データがＪＰＥＧ形式などの非可逆データや、ビットマップ形式やＴＩＦＦ形式などの可逆データの場合は、必要に応じてメタデータ（例えばＥＸＩＦフォーマットにおけるＴＡＧなど）を付加して任意のファイルフォーマットに変換した後に、画像ファイルとして記憶手段２２を構成するＳＤメモリ２１５などの不揮発性メモリに保存する（Ｓ４０５）。
【００８２】
以上のように、本実施例によれば、現在のスルー画と過去のスルー画を合成したスルー画の表示を行いながら、所定の撮像操作がおこなわれたとき、双方向インターフェースを介して、画像データを本体ユニット２０に送信することによって、スルー画データの送信処理と並行して、撮像処理を行うことができ、シャッターチャンスを逃さない臨機応変な撮像を行うことができるようになる。
【００８３】
また、本実施例に係る撮像装置によれば、レンズユニッ１０から本体ユニット２０に送信される画像データの形式は、本体ユニット２０側の処理性能に応じて任意の形式を用いることができる。
【実施例４】
【００８４】
次に、本発明に係る撮像装置を用いた撮像方法の別の実施例について図を用いて説明をする。本実施例は、実施例３に示した静止画撮像制御にかかる別の処理の例である。図１３において、各処理ステップはＳ５０１、Ｓ５０２、Ｓ５０３・・・のように表記する。また、各処理ステップにおいて生成（出力）された情報の出力(通知)先は、矢印を用いて表している。
【００８５】
本実施例は、周期画像データと蓄積画像データが合成された合成画像データが、スルー画として表示手段２３に表示されているときに、操作手段２４における所定の撮像操作が行われたに、実行される処理の例である。
表示手段２３に合成画像データが表示されているとき、撮像動作を指示する所定の撮像操作が行われて、操作手段２４から操作信号が入力されると、双方向インターフェースである第１インターフェース１４を介して、レンズユニット１０の画像処理手段１２にその旨が通知される（Ｓ５０１、Ｓ５０２）。
所定の撮像操作とは、例えばレリーズスイッチ２１１を一定時間以上押し下げる操作である。
【００８６】
ここで、「過去のスルー画を表示する旨の操作」とは、過去のスルー画の表示（再生）、コマ送り表示、巻き戻し表示、早送り表示、一時停止など、過去のスルー画を表示手段２３において視認可能に表示するための操作である。
従って、当該操作によって生成される操作情報は、上記の種々の操作をレンズユニット１０に通知するための情報である。
【００８７】
画像処理手段１２は、受信した操作情報に基づいて所定の処理を開始する。まず、それまで行っていたスルー画の蓄積処理を停止する（Ｓ５０３）。
次に、記憶手段１３に記憶されている過去のスルー画を読み出して第１インターフェース１４を介して本体ユニット２０に蓄積画像データをブロック転送する（Ｓ５０４）。ここで、ブロック転送とは、蓄積画像データを圧縮形式のまま本体ユニット２０に送信する処理をいう。
本体ユニット２０の画像処理手段２１は、受信した蓄積画像データの復号化処理を行う。（Ｓ５０５）。
【００８８】
次に、画像処理手段１２は、撮像手段１１が周期的に出力する撮像データから画像データを生成し（Ｓ５０６）、生成された画像データは第２インターフェース１５を介して、本体ユニット２０に送信される（Ｓ５０７）。
次に、画像処理手段２１は、復号化した蓄積画像データに係るスルー画データと、第２インターフェースを介してレンズユニット２０から受信した周期的画像データにかかるスルー画データとを、合成する処理を行う（Ｓ５０８）。
【００８９】
次に、画像処理手段２１は、合成したスルー画データを表示手段２３に対して出力する（Ｓ５０９）。これによって、現在取得している周期的に表示される画像データと過去に取得されたスルー画データを同時に表示することができるようになる。
【００９０】
本実施例に係る撮像装置は、操作手段２４を用いた所定の操作によって周期的画像データの表示を行いつつ、蓄積画像データを同時に表示することができ、さらに、蓄積画像データに対して、一時停止やコマ戻しなどの種々の表示制御を行うことができるので、見逃した被写体であっても、過去に遡って被写体像を確認することができるようになる。
【実施例５】
【００９１】
次に、本発明に係る撮像装置を用いた撮像方法の別の実施例について図を用いて説明をする。本実施例は、現在のスルー画と過去のスルー画を同時に表示する処理のさらに別の例である。図１４において、各処理ステップはＳ６０１、Ｓ６０２、Ｓ６０３・・・のように表記する。また、各処理ステップにおいて生成（出力）された情報の出力(通知)先は、矢印を用いて表している。
【００９２】
周期画像データと蓄積画像データがレンズユニット１０から本体ユニット２０に対して送信がされ、本体ユニット２０の表示手段２３において、合成されて同時に表示されているときに、本体ユニット２０が備える操作手段２４によって所定の撮像信号が入力されると、サブＣＰＵ２０５（図３）が当該操作を検知し（Ｓ６０１）、双方向インターフェースである第１インターフェース１４を介して、画像処理手段１２に操作情報が通知される（Ｓ６０２）。
【００９３】
レンズユニット１０は、操作情報を受信すると、それまで行っていたスルー画の蓄積処理を停止して（Ｓ６０３）、そのとき記憶手段１３から読み出されていた蓄積画像データを「スルー画表示停止フレーム」として、このフレームに基づいて画像ファイルを生成する処理を行う（Ｓ６０４）。生成された画像ファイルは、第１インターフェースを介して本体ユニット２０に送信される（Ｓ６０５）。
画像処理手段２１は受信した画像ファイルを記憶手段２２に記憶する（Ｓ６０６）。
【００９４】
以上のように、本実施例に係る撮像装置は、操作手段２４によって、過去のスルー画の再生、一時停止、コマ戻し、巻き戻しなどの表示制御を行うことができ、かつ、一時停止中に、当該過去のスルー画と現在のスルー画の合成画像データを記録することができるので、見逃した被写体であっても、所定の操作を行うことによって、過去に遡って被写体像を確認し、さらに、画像ファイルとして記録することができるようになる。
【符号の説明】
【００９５】
１００  レンズユニット
２００  本体ユニット
１０３  ＣＰＵ
１０７  レンズ群
１１４  Ｆｌａｓｈ  ＲＯＭ
１１５  ＤＤＲ−ＳＤＲＡＭ
１１６  コネクタ
１２３  双方向インターフェース
１２５  一方向インターフェース
２０１  コネクタ
２２３  双方向インターフェース
２２５  一方向インターフェース
２０８  ＣＰＵ
【先行技術文献】
【特許文献】
【００９６】
【特許文献１】特開２００７−１１０３１４号公報
【図１】
0005476930.tif 000002
【図２】
0005476930.tif 000003
【図３】
0005476930.tif 000004
【図４】
0005476930.tif 000005
【図５】
0005476930.tif 000006
【図６】
0005476930.tif 000007
【図７】
0005476930.tif 000008
【図８】
0005476930.tif 000009
【図９】
0005476930.tif 000010
【図１０】
0005476930.tif 000011
【図１１】
0005476930.tif 000012
【図１２】
0005476930.tif 000013
【図１３】
0005476930.tif 000014
【図１４】
0005476930.tif 000015